(57)【要約】      （修正有）【課題】オフラインのコンテンツ表示装置に表示されているコンテンツに関する関連コンテンツを容易に表示できるシステムを提供する。【解決手段】電子百科事典２は、ユーザの閲覧したコンテンツの履歴を記録しており、コンテンツを表示する際に、この履歴を２次元バーコード化して表示する。ユーザαの閲覧履歴はＡＤＥである。ユーザαが、この２次元バーコードを携帯電話１２ａにて撮像する。携帯電話１２ａは、２次元バーコード１１ａを解読して、閲覧履歴「ＡＤＥ」を得る。これを、サーバ装置１６に送信する。サーバ装置１６は、送られてきた閲覧履歴「ＡＤＥ」に基づいて、当該閲覧履歴に合致する関連コンテンツを読み出す。読み出した関連コンテンツは、携帯電話１２ａに送信されて表示される。【選択図】図１３
2006119825.tif 000002
【特許請求の範囲】
【請求項１】
コンテンツ表示装置と通信機能付きコンテンツ表示装置とサーバ装置とを備えたコンテンツ表示システムであって、
前記コンテンツ表示装置は、
複数のコンテンツおよびコンテンツに対応づけられたリンクコードを記録した記録部と、
ユーザの指示を入力する入力部と、
入力部から入力された指示に基づいて、記録部に記録されているコンテンツおよび当該コンテンツに対応づけられているリンクコードを選択的に読み出して表示部に与える処理手段と、
処理手段から与えられたコンテンツおよびリンクコードを表示する表示部と、
を備え、
前記通信機能付きコンテンツ表示装置は、
コンテンツ表示装置の表示部に、コンテンツとともに表示されているリンクコードを読み取る画像読取手段と、
読み取ったリンクコードをサーバ装置に送信する送信手段と、
サーバ装置からの関連コンテンツを受信する受信手段と、
受信した関連コンテンツを表示する表示部と、
を備え、
前記サーバ装置は、
前記コンテンツに関連した関連コンテンツをリンクコードによって示される位置に記録する記録部と、
通信機能付きコンテンツ表示装置からのリンクコードを受信する受信手段と、
受信したリンクコードに基づいて、記録部から関連コンテンツを読み出す読出手段と、
読み出した関連コンテンツを通信機能付きコンテンツ表示装置に送信する送信手段と、
を備えたことを特徴とするもの。
【請求項２】
コンテンツ表示装置および通信機能付きコンテンツ表示装置とともにコンテンツ表示システムを構成するサーバ装置であって、
コンテンツ表示装置において表示されるコンテンツに関連した関連コンテンツを、リンクコードによって示される位置に記録する記録部と、
コンテンツ表示装置においてコンテンツとともに表示され、通信機能付きコンテンツ表示装置が読み取って送信してきたリンクコードを受信する受信手段と、
受信したリンクコードに基づいて、記録部から関連コンテンツを読み出す読出手段と、
読み出した関連コンテンツを通信機能付きコンテンツ表示装置において表示するため、通信機能付きコンテンツ表示装置に送信する送信手段と、
を備えたことを特徴とするサーバ装置。
【請求項３】
通信機能付きコンテンツ表示装置およびサーバ装置とともにコンテンツ表示システムを構成するコンテンツ表示装置であって、
複数のコンテンツおよびコンテンツに対応づけられたリンクコードを記録した記録部と、
ユーザの指示を入力する入力部と、
入力部から入力された指示に基づいて、記録部に記録されているコンテンツおよび当該コンテンツに対応づけられているリンクコードを選択的に読み出して表示部に与える処理手段と、
通信機能付きコンテンツ表示装置が、サーバ装置からコンテンツに関連する関連コンテンツを取得するためのキーとなるリンクコードを表示する表示部と、
を備えたことを特徴とするコンテンツ表示装置。
【請求項４】
コンテンツ表示装置および通信機能付きコンテンツ表示装置とともにコンテンツ表示システムを構成するサーバ装置をコンピュータを用いて実現するため、コンピュータを下記手段として機能させるためのプログラム、
コンテンツ表示装置においてコンテンツとともに表示され、通信機能付きコンテンツ表示装置が読み取って送信してきたリンクコードを受信する受信手段と、
コンテンツ表示装置において表示されるコンテンツに関連した関連コンテンツを、リンクコードによって示される位置に記録する記録部にアクセスし、受信したリンクコードに基づいて関連コンテンツを読み出す読出手段と、
読み出した関連コンテンツを通信機能付きコンテンツ表示装置において表示するため、通信機能付きコンテンツ表示装置に送信する送信手段。
【請求項５】
通信機能付きコンテンツ表示装置およびサーバ装置とともにコンテンツ表示システムを構成するコンテンツ表示装置をコンピュータを用いて実現するため、コンピュータを下記手段として機能させるためのプログラム、
ユーザの指示を入力する入力部と、
複数のコンテンツおよびコンテンツに対応づけられたリンクコードを記録した記録部にアクセスし、入力部から入力された指示に基づいて、記録部に記録されているコンテンツおよび当該コンテンツに対応づけられているリンクコードを選択的に読み出して表示部に与える処理手段と、
通信機能付きコンテンツ表示装置が、サーバ装置からコンテンツに関連する関連コンテンツを取得するためのキーとなるリンクコードを表示する表示部。
【請求項６】
コンテンツ表示装置と通信機能付きコンテンツ表示装置とサーバ装置とを備えたコンテンツ表示システムであって、
前記コンテンツ表示装置は、
複数のコンテンツおよびコンテンツに対応づけられたコンテンツコードを記録した記録部と、
ユーザからの閲覧指示を入力する入力部と、
コンテンツに対するユーザの閲覧指示の履歴データをコンテンツコードによって記録部に記録する履歴記録手段と、
記録部に記録されている履歴データを画像履歴コード化する画像コード化手段と、
入力部から入力された指示に基づいて、記録部に記録されているコンテンツおよび画像履歴コードを表示部に与える処理手段と、
処理手段から与えられたコンテンツおよび画像履歴コードを表示する表示部と、
を備え、
前記通信機能付きコンテンツ表示装置は、
コンテンツ表示装置の表示部に、コンテンツとともに表示されている画像履歴コードを読み取り、履歴データを取得する画像読取手段と、
取得した履歴データをサーバ装置に送信する送信手段と、
サーバ装置からの関連コンテンツを受信する受信手段と、
受信した関連コンテンツを表示する表示部と、
を備え、
前記サーバ装置は、
前記コンテンツに関連した関連コンテンツを記録する記録部と、
通信機能付きコンテンツ表示装置からの履歴データを受信する受信手段と、
受信した履歴データに基づいて、当該履歴データに関連のある関連コンテンツを記録部から読み出す読出手段と、
読み出した関連コンテンツを通信機能付きコンテンツ表示装置に送信する送信手段と、
を備えたことを特徴とするもの。
【請求項７】
通信機能付きコンテンツ表示装置およびコンテンツ表示装置とともにコンテンツ表示システムを構成するサーバ装置であって、
コンテンツ表示装置において表示されるコンテンツに関連した関連コンテンツを記録する記録部と、
コンテンツ表示装置においてコンテンツとともに表示され、通信機能付きコンテンツ表示装置が読み取って送信してきた履歴データを受信する受信手段と、
受信した履歴データに基づいて、当該履歴データに関連のある関連コンテンツを記録部から読み出す読出手段と、
読み出した関連コンテンツを通信機能付きコンテンツ表示装置において表示するため、通信機能付きコンテンツ表示装置に送信する送信手段と、
を備えたことを特徴とするもの。
【請求項８】
通信機能付きコンテンツ表示装置およびサーバ装置とともにコンテンツ表示システムを構成するコンテンツ表示装置であって、
複数のコンテンツおよびコンテンツに対応づけられたコンテンツコードを記録した記録部と、
ユーザからの閲覧指示を入力する入力部と、
コンテンツに対するユーザの閲覧指示の履歴データをコンテンツコードによって記録部に記録する履歴記録手段と、
記録部に記録されている履歴データを画像履歴コード化する画像コード化手段と、
入力部から入力された指示に基づいて、記録部に記録されているコンテンツおよび画像履歴コードを表示部に与える処理手段と、
処理手段から与えられたコンテンツおよび画像履歴コードを表示する表示部と、
を備えたことを特徴とするコンテンツ表示装置。
【請求項９】
コンテンツ表示装置および通信機能付きコンテンツ表示装置とともにコンテンツ表示システムを構成するサーバ装置をコンピュータを用いて実現するため、コンピュータを下記手段として機能させるためのプログラム、
コンテンツ表示装置においてコンテンツとともに表示され、通信機能付きコンテンツ表示装置が読み取って送信してきた履歴データを受信する受信手段と、
コンテンツ表示装置において表示されるコンテンツに関連した関連コンテンツを記録する記録部にアクセスし、受信した履歴データに基づいて、当該履歴データに関連のある関連コンテンツを記録部から読み出す読出手段と、
読み出した関連コンテンツを通信機能付きコンテンツ表示装置において表示するため、通信機能付きコンテンツ表示装置に送信する送信手段。
【請求項１０】
通信機能付きコンテンツ表示装置およびサーバ装置とともにコンテンツ表示システムを構成するコンテンツ表示装置をコンピュータを用いて実現するため、コンピュータを下記手段として機能させるためのプログラム、
ユーザからの閲覧指示を入力する入力部と、
複数のコンテンツおよびコンテンツに対応づけられたコンテンツコードを記録した記録部にアクセスし、コンテンツに対するユーザの閲覧指示の履歴データをコンテンツコードによって記録部に記録する履歴記録手段と、
記録部に記録されている履歴データを画像履歴コード化する画像コード化手段と、
入力部から入力された指示に基づいて、記録部に記録されているコンテンツおよび画像履歴コードを表示部に与える処理手段と、
処理手段から与えられたコンテンツおよび画像履歴コードを表示する表示部と、
を備えたことを特徴とするコンテンツ表示装置。
【請求項１１】
請求項６のシステム、請求項７の装置または請求項９のプログラムにおいて、
サーバ装置の記録部には、各コンテンツごとにキーワードが記録されており、
サーバ装置の読出手段は、履歴データに記述されている複数のコンテンツコードに基づいて、記録部からキーワードを読み出し、これら読み出したキーワードに合致する内容を有する関連コンテンツを選択して読み出すこと
を特徴とするもの。
【請求項１２】
請求項６〜１１のいずれかのシステム、装置またはプログラムにおいて、
通信機能付きコンテンツ表示装置の画像読取手段は、画像履歴コードに基づいて履歴データを取得するのではなく、画像履歴コードを画像として送信手段に与え、
サーバ装置の読出手段は、画像として受信した画像履歴コードに基づいて履歴データを算出すること
を特徴とするもの。
【請求項１３】
請求項６〜１２のいずれかのシステム、装置またはプログラムにおいて、
通信機能付きコンテンツ表示装置の画像コード化手段は、履歴データだけでなく前記サーバ装置のＵＲＬも含めて画像履歴コードを生成し、
通信機能付きコンテンツ表示装置の送信手段は、画像履歴コード中のＵＲＬに基づいて、前記サーバ装置に接続すること
を特徴とするもの。
【請求項１４】
請求項６〜１３のいずれかのシステム、装置またはプログラムにおいて、
前記コンテンツコードは、各コンテンツを識別するためのコンテンツＩＤであることを特徴とするもの。
【請求項１５】
請求項６〜１３のいずれかのシステム、装置またはプログラムにおいて、
前記コンテンツコードは、各コンテンツに付されたキーワードであることを特徴とするもの。
【請求項１６】
請求項６〜１５のいずれかのシステム、装置またはプログラムにおいて、
前記サーバ装置はインターネット検索エンジンを備えており、
前記コンテンツに関連した関連コンテンツを記録する記録部は、インターネット上に存在するコンテンツサーバ装置であること
を特徴とするもの。
【請求項１７】
請求項６〜１６のいずれかのシステム、装置またはプログラムにおいて、
前記サーバ装置は、通信機能付きコンテンツ表示装置に対して、関連コンテンツそのものではなく関連コンテンツへのリンク情報を送信することを特徴とするもの。
【請求項１８】
コンテンツ表示装置と通信機能付きコンテンツ表示装置とサーバ装置によるコンテンツ表示方法であって、
前記コンテンツ表示装置は、
複数のコンテンツおよびコンテンツに対応づけられたリンクコードを記録した記録部と、ユーザの指示を入力する入力部と、与えられたコンテンツおよびリンクコードを表示する表示部とを有しており、
入力部から入力された指示に基づいて、記録部に記録されているコンテンツおよび当該コンテンツに対応づけられているリンクコードを選択的に読み出して表示部に与え、
前記通信機能付きコンテンツ表示装置は、
受信した関連コンテンツを表示する表示部を備え、
コンテンツ表示装置の表示部に、コンテンツとともに表示されているリンクコードを読み取り、
読み取ったリンクコードをサーバ装置に送信し、
サーバ装置からの関連コンテンツを受信し、
前記サーバ装置は、
前記コンテンツに関連した関連コンテンツをリンクコードによって示される位置に記録する記録部を備え、
通信機能付きコンテンツ表示装置からのリンクコードを受信し、
受信したリンクコードに基づいて、記録部から関連コンテンツを読み出し、
読み出した関連コンテンツを通信機能付きコンテンツ表示装置に送信すること
を特徴とするもの。
【請求項１９】
コンテンツ表示装置と通信機能付きコンテンツ表示装置とサーバ装置とによるコンテンツ表示方法であって、
前記コンテンツ表示装置は、
複数のコンテンツおよびコンテンツに対応づけられたコンテンツコードを記録した記録部と、ユーザからの閲覧指示を入力する入力部と、与えられたコンテンツおよび画像履歴コードを表示する表示部とを備え、
コンテンツに対するユーザの閲覧指示の履歴データをコンテンツコードによって記録部に記録し、
記録部に記録されている履歴データを画像履歴コード化し、
入力部から入力された指示に基づいて、記録部に記録されているコンテンツおよび画像履歴コードを表示部に与え、
前記通信機能付きコンテンツ表示装置は、
受信した関連コンテンツを表示する表示部を備え、
コンテンツ表示装置の表示部に、コンテンツとともに表示されている画像履歴コードを読み取り、履歴データを取得し、取得した履歴データをサーバ装置に送信し、サーバ装置からの関連コンテンツを受信し、
前記サーバ装置は、
前記コンテンツに関連した関連コンテンツを記録する記録部を備え、
通信機能付きコンテンツ表示装置からの履歴データを受信し、
受信した履歴データに基づいて、当該履歴データに関連のある関連コンテンツを記録部から読み出し、
読み出した関連コンテンツを通信機能付きコンテンツ表示装置に送信すること
を特徴とするもの。
【発明の詳細な説明】
【技術分野】
【０００１】
この発明は、コンテンツ表示装置に表示されたコンテンツに関する関連コンテンツを表示するシステムに関する。
【背景技術】
【０００２】
書籍としての辞書に代わるものとして電子辞書が知られている。電子辞書とは、
辞書コンテンツを電子的に格納したものであり、例えば、ユーザは目的の単語を入力してその単語の意味等を容易に調べることができる。特に、ＩＣ辞書と呼ばれる電卓大の本体を有する電子辞書においては、辞書コンテンツがＲＯＭ化して格納されているため、起動時間をかけずに辞書を使用することができる。このため、ユーザが本体上のキーで単語を入力すると、即時にその検索結果を液晶画面に表示することができる。
【０００３】
一方、所定のデータをコード化する方法として、二次元コードが知られている。二次元コードとは、水平方向と垂直方向の二次元の方向にコード化したデータを表現したものであり、省スペースのコード表示領域を用いて比較的容量の大きいデータを格納することができる。例えば、ＵＲＬや商品データを二次元コード化しておくことにより、ＵＲＬの入力や商品情報の確認を容易に行うことができる（例えば、特許文献１参照。）。
【０００４】
【特許文献１】特開２００４−１７１４１７号
【発明の開示】
【発明が解決しようとする課題】
【０００５】
しかしながら、上述したＩＣ辞書の多くはスタンドアロンで用いられることを前提に設計されている。このため、コンテンツを更新することができず、最新のデータをＩＣ辞書において見ることができないという問題があった。また、コンテンツに関連する関連コンテンツを取得することが困難であった。たとえば、表示されているコンテンツ中からキーワードをメモし、インターネットに接続されているコンピュータから、このキーワードに基づいて検索を行わねばならなかった。つまり、煩雑な手順を経なければ、関連コンテンツを得ることができなかった。また、コンテンツに誤植などがあった場合、その訂正情報をユーザに対して配布することが困難であった。
【０００６】
この発明は、上記の問題点を解決して、コンテンツ表示装置に表示されているコンテンツに関する関連コンテンツを容易に表示できるシステムを提供することを目的とする。
【課題を解決するための手段】
【０００７】
(1)〜(5)(18)この発明に係るコンテンツ表示システム・方法は、
コンテンツ表示装置と通信機能付きコンテンツ表示装置とサーバ装置とを備えたコンテンツ表示システムであって、
前記コンテンツ表示装置は、複数のコンテンツおよびコンテンツに対応づけられたリンクコードを記録した記録部と、ユーザの指示を入力する入力部と、入力部から入力された指示に基づいて、記録部に記録されているコンテンツおよび当該コンテンツに対応づけられているリンクコードを選択的に読み出して表示部に与える処理手段と、処理手段から与えられたコンテンツおよびリンクコードを表示する表示部とを備え、
前記通信機能付きコンテンツ表示装置は、コンテンツ表示装置の表示部に、コンテンツとともに表示されているリンクコードを読み取る画像読取手段と、読み取ったリンクコードをサーバ装置に送信する送信手段と、サーバ装置からの関連コンテンツを受信する受信手段と、受信した関連コンテンツを表示する表示部と、を備え、
前記サーバ装置は、前記コンテンツに関連した関連コンテンツをリンクコードによって示される位置に記録する記録部と、通信機能付きコンテンツ表示装置からのリンクコードを受信する受信手段と、受信したリンクコードに基づいて、記録部から関連コンテンツを読み出す読出手段と、読み出した関連コンテンツを通信機能付きコンテンツ表示装置に送信する送信手段とを備えている。
【０００８】
コンテンツ表示装置に表示されているコンテンツとともにリンクコードが表示される。通信機能付きコンテンツ表示装置にてこのリンクコードを撮像するだけで、関連コンテンツを通信機能付きコンテンツ表示装置に表示させることができる。
【０００９】
(6)〜(10)(19)この発明に係るコンテンツ表示システム・方法は、コンテンツ表示装置と通信機能付きコンテンツ表示装置とサーバ装置とを備えたコンテンツ表示システムであって、
前記コンテンツ表示装置は、複数のコンテンツおよびコンテンツに対応づけられたコンテンツコードを記録した記録部と、ユーザからの閲覧指示を入力する入力部と、コンテンツに対するユーザの閲覧指示の履歴データをコンテンツコードによって記録部に記録する履歴記録手段と、記録部に記録されている履歴データを画像履歴コード化する画像コード化手段と、入力部から入力された指示に基づいて、記録部に記録されているコンテンツおよび画像履歴コードを表示部に与える処理手段と、処理手段から与えられたコンテンツおよび画像履歴コードを表示する表示部とを備え、
前記通信機能付きコンテンツ表示装置は、コンテンツ表示装置の表示部に、コンテンツとともに表示されている画像履歴コードを読み取り、履歴データを取得する画像読取手段と、取得した履歴データをサーバ装置に送信する送信手段と、サーバ装置からの関連コンテンツを受信する受信手段と、受信した関連コンテンツを表示する表示部とを備え、
前記サーバ装置は、前記コンテンツに関連した関連コンテンツを記録する記録部と、通信機能付きコンテンツ表示装置からの履歴データを受信する受信手段と、受信した履歴データに基づいて、当該履歴データに関連のある関連コンテンツを記録部から読み出す読出手段と、読み出した関連コンテンツを通信機能付きコンテンツ表示装置に送信する送信手段とを備えている。
【００１０】
コンテンツ表示装置に表示されているコンテンツとともに画像履歴コードが表示される。通信機能付きコンテンツ表示装置にてこの画像履歴コードを撮像するだけで、閲覧履歴に合致した関連コンテンツを通信機能付きコンテンツ表示装置に表示させることができる。
【００１１】
(11)この発明に係るコンテンツ表示システムは、
サーバ装置の記録部には、各コンテンツごとにキーワードが記録されており、
サーバ装置の読出手段は、履歴データに記述されている複数のコンテンツコードに基づいて、記録部からキーワードを読み出し、これら読み出したキーワードに合致する内容を有する関連コンテンツを選択して読み出すことを特徴としている。
【００１２】
したがって、ユーザに閲覧履歴に合致した内容の関連コンテンツを取得することができる。
【００１３】
(12)この発明に係るコンテンツ表示システムは、
通信機能付きコンテンツ表示装置の画像読取手段は、画像履歴コードに基づいて履歴データを取得するのではなく、画像履歴コードを画像として送信手段に与え、
サーバ装置の読出手段は、画像として受信した画像履歴コードに基づいて履歴データを算出することを特徴としている。
【００１４】
したがって、通信機能付きコンテンツ表示装置の認識処理の負担を軽くすることができる。
【００１５】
(13)この発明に係るコンテンツ表示システムは、
通信機能付きコンテンツ表示装置の画像コード化手段は、履歴データだけでなく前記サーバ装置のＵＲＬも含めて画像履歴コードを生成し、
通信機能付きコンテンツ表示装置の送信手段は、画像履歴コード中のＵＲＬに基づいて、前記サーバ装置に接続することを特徴としている。
【００１６】
したがって、画像履歴コードに記述されたＵＲＬのサーバ装置１６に接続させることができる。
【００１７】
(14)この発明に係るコンテンツ表示システムは、
コンテンツコードは、各コンテンツを識別するためのコンテンツＩＤであることを特徴としている。
【００１８】
したがって、コンテンツＩＤに基づいてコンテンツ閲覧の履歴を特定することができる。
【００１９】
(15)この発明に係るコンテンツ表示システムは、
コンテンツコードは、各コンテンツに付されたキーワードであることを特徴としている。
【００２０】
したがって、キーワードに基づく関連コンテンツの検索処理をすぐに行うことができる。
【００２１】
(16)この発明に係るコンテンツ表示システムは、
サーバ装置はインターネット検索エンジンを備えており、コンテンツに関連した関連コンテンツを記録する記録部は、インターネット上に存在するコンテンツサーバ装置であることを特徴としている。
【００２２】
したがって、インターネット上に存在するコンテンツサイトから関連コンテンツを得ることができる。
【００２３】
「コンテンツに対応づけられたリンクコード」とは、リンクコードが別のデータとして記録されている場合だけでなく、コンテンツデータの一部としてリンクコードが含まれる場合も含む
「コンテンツ表示装置」は、実施形態においては、電子百科事典２がこれに該当する。
【００２４】
「コンテンツ表示装置の記録部」は、実施形態においては、メモリ２２がこれに該当する。
【００２５】
「コンテンツ表示装置の入力手段」は、実施形態においては、キーボード２０がこれに該当する。
【００２６】
「コンテンツ表示装置の処理手段」は、実施形態においては、コンテンツ処理プログラム２３によって実現されるＣＰＵ２１の機能がこれに該当する。
【００２７】
「コンテンツ表示装置の表示部」は、実施形態においては、ディスプレイ２６がこれに該当する。
【００２８】
「通信機能付きコンテンツ表示装置」は、実施形態においては、携帯電話１２がこれに該当する。
【００２９】
「通信機能付きコンテンツ表示装置の画像読取手段」は、実施形態においては、カメラ３５およびリンク情報取得プログラム３９によって実現されるＣＰＵ３１の機能がこれに該当する。また、カメラ３５およびリンク履歴データ取得プログラム５８によって実現されるＣＰＵ３１の機能がこれに該当する
「通信機能付きコンテンツ表示装置の送信手段」は、実施形態においては、通信回路３３がこれに該当する。
【００３０】
「通信機能付きコンテンツ表示装置の受信手段」は、実施形態においては、通信回路３３がこれに該当する。
【００３１】
「通信機能付きコンテンツ表示装置の表示部」は、実施形態においては、ディスプレイ３０がこれに該当する。
【００３２】
「サーバ装置の記録部」は、実施形態では、ハードディスク４０がこれに該当する。
【００３３】
「サーバ装置の受信手段」は、実施形態においては、通信回路４３がこれに該当する。
【００３４】
「サーバ装置の読出手段」は、実施形態においては、処理プログラム４９によって実現されるＣＰＵ４１の機能がこれに該当する。
【００３５】
「サーバ装置の送信手段」は、実施形態においては、通信回路４３がこれに該当する。
【００３６】
「コンテンツ表示装置の履歴記録手段」は、実施形態においては、図２１のステップＳ５５〜Ｓ５７の機能がこれに該当する。
【００３７】
「コンテンツ表示装置の画像コード化手段」は、実施形態においては、図２１のステップＳ５８の機能がこれに該当する。
【００３８】
「プログラム」とは、ＣＰＵにより直接実行可能なプログラムだけでなく、ソース形式のプログラム、圧縮処理がされたプログラム、暗号化されたプログラム等を含む概念である。
【発明を実施するための最良の形態】
【００３９】
１．第１の実施形態
(1)概要
図１に、この発明の一実施形態によるコンテンツ表示システムの概念図を示す。電子百科事典２には、多くのコンテンツが記録されている。ユーザ４は、電子百科事典２の操作ボタンを操作して、所望のコンテンツを表示することができる。その画面表示例６にあるように、コンテンツ８の表示に隣接して２次元バーコード１０（リンクコード）が表示されている。
【００４０】
ユーザ４は、撮像機能付きの携帯電話１２により、この２次元バーコードを撮像する。携帯電話１２は、この２次元バーコードに記述されているＵＲＬを解釈し、インターネットを介して、ＵＲＬによって示されるサーバ装置１６内のファイルにアクセスする。このファイルには、コンテンツ８に関連する関連コンテンツ１４が記録されている。これにより、携帯電話１２は、この関連コンテンツ１４を受信して、その画面に表示することができる。
【００４１】
関連コンテンツ１４に補充や訂正がある場合には、サーバ装置１６のファイルを書き換えれば良く、電子百科事典２の記録内容を訂正する必要はない。したがって、スタンドアローンの電子百科事典２に対しても、最新の関連コンテンツを提供することが可能となる。
【００４２】
(2)ブロック図
図２に、この実施形態によるコンテンツ表示システムのブロック図を示す。電子百科事典２の記録部２２には、複数のコンテンツ８が記録されている。各コンテンツ８には、関連するコンテンツの所在を示すＵＲＬを２次元バーコード化した画像（リンクコード）も含まれている。
【００４３】
入力部２０は、操作ボタンなどで構成されており、ユーザからの閲覧指令などを入力するためのものである。処理手段２４は、入力部２０によって与えられた閲覧指令などに基づいて、記録部２２からコンテンツ８を読み出し、表示部２６に与える。表示部２６は、このコンテンツ８を表示する。したがって、２次元バーコードも同時に表示されることになる。
【００４４】
携帯電話１２の画像読取手段３６は、電子百科事典２の表示部２６に表示された２次元バーコードを撮像して取り込む。さらに、２次元バーコードを解読して、記述されているＵＲＬを認識する。送信手段３４は、このＵＲＬを受けて、ＵＲＬによって示されるサーバ装置１６にアクセスする。
【００４５】
サーバ装置１６の受信手段４６は、受信したＵＲＬを読出手段４４に与える。読出手段４４は、ＵＲＬによって特定される関連コンテンツ１４を、記録部４０から読み出す。送信手段４２は、関連コンテンツ１４を携帯電話１２に送信する。
【００４６】
携帯電話１２の受信手段３２は、関連コンテンツ１４を受信して表示部３０に与える。表示部３０は、この関連コンテンツを表示する。このようにして、電子百科事典２の表示部２６に表示されているコンテンツに関連する関連コンテンツを携帯電話１２の表示部３０に表示することができる。
【００４７】
(3)ハードウエア構成
図３に、電子百科事典２のハードウエア構成を示す。ＣＰＵ２１に、ディスプレイ２６、キーボード２０、メモリ２２が接続されている。メモリ２２には、コンテンツ処理プログラム２３、コンテンツ８が記録されている。コンテンツ処理プログラム２３は、キーボード２０から与えられた指令に基づいて、コンテンツ８を読み出したり、表示したりする処理を行う。
【００４８】
メモリ２２に記録されているコンテンツ８を図４に示す。「ヒマワリ」「ヒマン」というコンテンツを例として示している。各コンテンツには、コンテンツの内容である画像・テキストの他に、リンクコード（２次元バーコード画像）が含まれている。このリンクコードは、コンテンツに関連する関連コンテンツが記録されているＵＲＬを２次元バーコード化したものである。
【００４９】
図５に、携帯電話１２のハードウエア構成を示す。ＣＰＵ３１に、ディスプレイ３０、入力キー３７、メモリ３８、カメラ３５、通信回路３３が接続されている。カメラ３５は、たとえばＣＣＤを備えており、画像を撮像可能に構成されている。通信回路３３は、電話回線を介してインターネットと接続可能である。メモリ３８には、関連コンテンツ１４へのリンク情報を取得するためのリンク情報取得プログラム３９、ブラウザプログラム２９が記録されている。
【００５０】
図６に、サーバ装置１６のハードウエア構成を示す。ＣＰＵ４１に、ディスプレイ４８、キーボード４５、メモリ４７、ハードディスク４０、通信回路４３が接続されている。メモリ４７は、ＣＰＵ４１のワークエリアとして用いられる。通信回路４３は、インターネットと接続可能である。ハードディスク４０には、処理プログラム４９、関連コンテンツ１４が記録されている。処理プログラム４９は、関連コンテンツ１４を読み出したり、送信したりするための処理を行う。
【００５１】
図７に、ハードディスク４０に記録された関連コンテンツ１４を示す。この実施形態では、関連コンテンツ１４は、ＨＴＭＬ言語によって記載されている。図では、電子百科事典２のコンテンツ「ヒマワリ」と「ヒマン」に関連付けられた関連コンテンツが示されている。
【００５２】
「ヒマワリ」の関連コンテンツは、http://www.info.com/relate/himawari.htmlというＵＲＬによって特定される位置に記録されている。なお、http://www.info.com/によってサーバ装置１６が特定され、relate/himawari.htmlによってサーバ装置１６のどのディレクトリのどのファイルであるかが特定される。同様に、「ヒマン」の関連コンテンツは、http://www.info.com/relate/himan.htmlというＵＲＬによって特定される位置に記録されている。
【００５３】
(4)処理
電子百科事典２のコンテンツ処理プログラム４９のフローチャートを図８に示す。ＣＰＵ２１は、電源が投入されると、図９Ａに示すような検索画面をディスプレイ２６上に表示する（ステップＳ１）。ユーザは、キーボード２０を用いて検索ボックス５０に、検索キーを入力する。ここでは、検索キーとして「ヒマワリ」が入力されたものとする。次に、ユーザが検索ボタン５２を押すと、ＣＰＵ２１は、入力された検索キー「ヒマワリ」を取得する（ステップＳ２）。
【００５４】
続いて、ＣＰＵ２１は、検索キー「ヒマワリ」を用いて、メモリ２２に記録されたコンテンツ８を検索する。図４に示すコンテンツ項目が、検索キー「ヒマワリ」に一致するものを選択して読み出す（ステップＳ３）。これにより、図４に示す「ヒマワリ」のコンテンツが読み出される。なお、コンテンツには、リンクコードである２次元バーコードが含まれている。
【００５５】
次に、ＣＰＵ２１は、読み出した「ヒマワリ」のコンテンツを、ディスプレイ２６に表示させる。したがって、ディスプレイ２６上には、画像のコンテンツ８ａ、テキストのコンテンツ８ｂ、２次元バーコード１０が表示されることになる。
【００５６】
表示されたコンテンツを見たユーザが、「ヒマワリ」について関連する情報を取得したい場合には、次のように処理が行われる。
【００５７】
図１０に、携帯電話１２のメモリ３８に記録されているリンク情報取得プログラム３９のフローチャートを示す。
【００５８】
ユーザは、携帯電話１２のカメラ３５を、電子百科事典２のディスプレイ２６に表示されている２次元バーコード１０にかざして撮像する。これにより、ＣＰＵ３１は、２次元バーコードの画像を取得する（ステップＳ１１）。次に、ＣＰＵ３１は、この２次元バーコードを解読しＵＲＬを取得する（ステップＳ１２）。解読アルゴリズムとしては、ISO/IEC18004などを用いることができる。前述のように、このＵＲＬは、関連コンテンツの記録されている場所を示している。ここでは、ＵＲＬとしてwww.info.com/relate/himawari.htmlを取得したものとする。
【００５９】
ＣＰＵ３１は、ブラウザプログラム２９が既に立ち上がっているかどうかを判断する（ステップＳ１３）。立ち上がっていなければ、ブラウザプログラム２９を起動し（ステップＳ１４）、立ち上がったブラウザプログラム２９にＵＲＬを与える（ステップＳ１５）。また、既に立ち上がっていれば、そのブラウザプログラム２９にＵＲＬを与える（ステップＳ１５）。
【００６０】
携帯電話１２のブラウザプログラム２９とサーバ装置１６の処理プログラム４９のフローチャートを、図１１に示す。
【００６１】
リンク情報取得プログラムからＵＲＬ(www.info.com/relate/himawari.html)が与えられると、ブラウザプログラム２９は、そのＵＲＬによってインターネットからページ要求を行う（ステップＳ２１）。
【００６２】
この要求を受信したサーバ装置１６のＣＰＵ４１は、ハードディスク４０に記録されている関連コンテンツのうち、当該ＵＲＬによって指定された関連コンテンツを読み出す（ステップＳ２２）。ここでは、図７の上段に示された関連コンテンツが読み出される。
【００６３】
続いて、ＣＰＵ４１は、読み出した関連コンテンツを、要求を行った携帯電話１２に送信する（ステップＳ２３）。携帯電話１２のＣＰＵ３１は、関連コンテンツを受信し、ディスプレイ３０に表示する（ステップＳ２４）。図１２に示すように、携帯電話１２のディスプレイ３０に関連コンテンツが表示される。
【００６４】
上記のように、ユーザは、携帯電話１２によって２次元バーコードを撮像するだけで、関連コンテンツを見ることができる。
【００６５】
(5)他の実施形態
上記実施形態では、ＵＲＬによって関連コンテンツ１４の場所を特定している。したがって、複数のサーバ装置１６に関連コンテンツ１４が分散していても、確実に関連コンテンツを取得することができる。しかし、１つのサーバ装置１６に関連コンテンツ１４を集中して記録するようにしてもよい。この場合、２次元バーコード１０には関連コンテンツＩＤを記述しておき、サーバ装置１６には、関連コンテンツＩＤを付して関連コンテンツ１４を記録するようにする。リンク情報取得プログラム３９は、サーバ装置１６のＵＲＬ（常に固定）と関連コンテンツＩＤをブラウザプログラム２９に送り、ブラウザプログラム２９は、関連コンテンツＩＤをサーバ装置１６に送信する。サーバ装置１６は、関連コンテンツＩＤに基づいて、関連コンテンツ１４を取得し、携帯電話１２に送信する。
【００６６】
さらに、上記の場合、携帯電話１２は、ブラウザプログラム２９のプラグインプログラムなどによって、２次元バーコードを画像としてサーバ装置１６に送信してもよい。この場合、サーバ装置１６は、２次元バーコードを解読して関連コンテンツＩＤを取得して処理を行うことができる。
【００６７】
上記実施形態では、２次元バーコードを用いているが、撮像してリンク情報を認識可能な画像であればどのようなものでもよい。たとえば、ＵＲＬの文字列をそのまま、電子百科事典２に表示してもよい。携帯電話１２においてこれを撮像し、文字認識をすることによってＵＲＬを取得できるからである。
【００６８】
上記実施形態では、電子百科事典２を例としたが、辞書、小説その他の書籍や文書を表示する装置に適用することができる。
【００６９】
上記実施形態では、図４のように、リンクコードが画像として記録されている。しかし、リンク先URLをテキストデータとして記録しておき、これをその都度２次元バーコード化して表示するようにしてもよい。
【００７０】
また、上記実施形態では、電子百科事典２はインターネットに接続されていないものとしている。このように電子百科事典２がスタンドアローンの場合に、本発明の効果が大きく発揮される。しかし、インターネットに接続された電子百科事典２においても、効果を得ることができる。つまり、電子百科事典２に表示されているコンテンツをそのままにして、関連コンテンツを携帯電話１２に表示できるという効果がある。
【００７１】
２．第２の実施形態
(1)概要
図１３に、第２の実施形態によるコンテンツ表示システムの概要を示す。電子百科事典２は、ユーザの閲覧したコンテンツの履歴を記録しており、コンテンツを表示する際に、この履歴を２次元バーコード化して表示する。図では、ユーザαの閲覧履歴はＡＤＥであり、ユーザβの閲覧履歴はＢＣＥである。両ユーザとも、現在、コンテンツＥを閲覧しているが、閲覧履歴が異なっているので、２次元バーコード１１ａ、１１ｂは異なったものとなっている。
【００７２】
ユーザαが、この２次元バーコードを携帯電話１２ａにて撮像する。携帯電話１２ａは、２次元バーコード１１ａを解読して、閲覧履歴「ＡＤＥ」を得る。これを、サーバ装置１６に送信する。
【００７３】
サーバ装置１６は、送られてきた閲覧履歴「ＡＤＥ」に基づいて、当該閲覧履歴に合致する関連コンテンツ１４を読み出す。読み出した関連コンテンツ１４は、携帯電話１２ａに送信されて表示される。
【００７４】
ユーザβが２次元バーコードを携帯電話１２ｂにて撮像すると、上記と同じようにして閲覧履歴がサーバ装置１６に送られる。さらに、閲覧履歴「ＢＣＥ」に合致する関連コンテンツが、携帯電話１２ｂに表示される。
【００７５】
このように、各ユーザの閲覧履歴に基づいて、適切な関連コンテンツを見ることができる。
【００７６】
(2)ブロック図
図１４に、この実施形態によるコンテンツ表示システムのブロック図を示す。電子百科事典２の記録部２２には、複数のコンテンツ８が記録されている。各コンテンツ８には、コンテンツコードが付されて記録されている。
【００７７】
入力部２０は、操作ボタンなどで構成されており、ユーザからの閲覧指令などを入力するためのものである。処理手段２４は、入力部２０によって与えられた閲覧指令などに基づいて、記録部２２からコンテンツ８を読み出し、表示部２６に与える。
【００７８】
一方、履歴記録手段２８は、ユーザがコンテンツ８に対する閲覧指示を与える毎に、当該コンテンツ８のコンテンツコードを、記録部２２に、履歴データとして蓄積していく。画像コード化手段２７は、履歴データを２次元バーコードに変換する。処理手段２４は、この２次元バーコードを表示部２６に与える。
【００７９】
したがって、表示部２６では、コンテンツ８とともに履歴を表す２次元バーコードが表示される。
【００８０】
携帯電話１２の画像読取手段３６は、電子百科事典２の表示部２６に表示された２次元バーコードを撮像して取り込む。さらに、２次元バーコードを解読して、記述されている履歴データを認識する。送信手段３４は、この履歴データを受けて、サーバ装置１６に履歴データを送信する。
【００８１】
サーバ装置１６の受信手段４６は、受信した履歴データを処理読出手段５６に与える。処理読出手段５６は、履歴データにに関連のある関連コンテンツを記録部４０から読み出す。送信手段４２は、関連コンテンツ１４を携帯電話１２に送信する。
【００８２】
携帯電話１２の受信手段３２は、関連コンテンツ１４を受信して表示部３０に与える。表示部３０は、この関連コンテンツを表示する。このようにして、ユーザの閲覧履歴に合致した関連コンテンツを携帯電話１２の表示部３０に表示することができる。
【００８３】
(3)ハードウエア構成
図１５に、電子百科事典２のハードウエア構成を示す。ＣＰＵ２１に、ディスプレイ２６、キーボード２０、メモリ２２が接続されている。メモリ２２には、コンテンツ処理プログラム２３、履歴データ２５、コンテンツ８が記録される。コンテンツ処理プログラム２３は、キーボード２０から与えられた指令に基づいて、コンテンツ８を読み出したり、表示したりする処理を行う。
【００８４】
メモリ２２に記録されているコンテンツ８を図１６に示す。「ヒマワリ」「ヒマン」というコンテンツを例として示している。各コンテンツには、コンテンツの内容である画像・テキストの他に、コンテンツＩＤが含まれている。このコンテンツＩＤは、各コンテンツを機別するためのものである。
【００８５】
図１７に、携帯電話１２のハードウエア構成を示す。ＣＰＵ３１に、ディスプレイ３０、入力キー３７、メモリ３８、カメラ３５、通信回路３３が接続されている。カメラ３５は、たとえばＣＣＤを備えており、画像を撮像可能に構成されている。通信回路３３は、電話回線を介してインターネットと接続可能である。メモリ３８には、履歴データを取得するための履歴データ取得プログラム５８、ブラウザプログラム２９が記録されている。
【００８６】
図１８に、サーバ装置１６のハードウエア構成を示す。ＣＰＵ４１に、ディスプレイ４８、キーボード４５、メモリ４７、ハードディスク４０、通信回路４３が接続されている。メモリ４７は、ＣＰＵ４１のワークエリアとして用いられる。通信回路４３は、インターネットと接続可能である。ハードディスク４０には、処理プログラム４９、関連コンテンツ１４、キーワード表６０が記録されている。処理プログラム４９は、履歴情報に基づいて関連コンテンツ１４を読み出したり、送信したりするための処理を行う。
【００８７】
図１９に、ハードディスク４０に記録された関連コンテンツ１４を示す。この実施形態では、関連コンテンツ１４は、番号（識別子）が付されて記録されている。
【００８８】
図２０に、ハードディスク４０に記録されたキーワード表６０を示す。コンテンツＩＤに対応づけて、そのコンテンツのキーワードが記録されている。なお、この実施形態では、コンテンツのコンテンツ項目をキーワードとしている。しかし、他の実施形態では、コンテンツ項目以外の言葉をキーワードとしてもよい。また、複数のキーワードを設けてもよい。
【００８９】
(4)処理
図２１に、電子百科事典２のメモリ２２に記録されているコンテンツ処理プログラム２３のフローチャートを示す。電子百科事典２のスイッチが投入されると、ＣＰＵ１２は、履歴データの初期化処理を行う（ステップＳ５１）。履歴データは、図２２Ａに示すように、インデックスとコンテンツＩＤとから構成されている。コンテンツＩＤの欄をnullコードとして初期化する。
【００９０】
次に、ＣＰＵ２１は、２３Ａに示すような検索画面をディスプレイ２６上に表示する（ステップＳ５２）。ユーザは、キーボード２０を用いて検索ボックス５０に、検索キーを入力する。ここでは、検索キーとして「ヒマワリ」が入力されたものとする。次に、ユーザが検索ボタン５２を押すと、ＣＰＵ２１は、入力された検索キー「ヒマワリ」を取得する（ステップＳ５３）。
【００９１】
続いて、ＣＰＵ２１は、検索キー「ヒマワリ」を用いて、メモリ２２に記録されたコンテンツ８を検索する。図１６に示すコンテンツ項目が、検索キー「ヒマワリ」に一致するものを選択して読み出す（ステップＳ５４）。これにより、図１６に示す「ヒマワリ」のコンテンツが読み出される。
【００９２】
次に、ＣＰＵ１２は、履歴データに空きがあるかどうかを判断する（ステップＳ５５）。今、図２２Ａに示すように空きがあるので、ステップＳ５７に進む。ステップＳ５７において、ＣＰＵ１２は、ステップＳ５４で取得したコンテンツのコンテンツＩＤを、履歴データとして記録する。図２２Ｂに示すように、インデックス「０」のレコードに記録する。
【００９３】
続いて、ＣＰＵ１２は、図２２Ｂの履歴データおよびサーバ装置１６のＵＲＬを２次元バーコードに変換する。ここでは、ＵＲＬとコンテンツＩＤである「http://www.info.com/sub:content0011」が２次元バーコード化されることになる。なお、「：」は、ＵＲＬとコンテンツＩＤとの区切を示している。バーコード化のアルゴリズムは、ISO/IEC18004を用いることができる。
【００９４】
次に、ＣＰＵ１２は、ステップｓ５４において読み出したコンテンツと、ステップＳ５８において生成した２次元バーコードを、ディスプレイ２６に表示する（ステップＳ５９）。したがって、図２３Ｂに示すように、コンテンツ８とともに、２次元バーコード１１が表示される。
【００９５】
次に、ステップＳ５２に戻って、ユーザが新たな検索キーを入力すると、上記と同様にして、コンテンツ８と２次元バーコード１１が表示されることになる。ただし、履歴データは２つになるので、２つのコンテンツＩＤが２次元バーコード化されて表示される。たとえば「http://www.info.com/sub:content0011/content1937」というように、２つのコンテンツＩＤを古い閲覧順にスラッシュで区切ったものが、２次元バーコードにされる。
【００９６】
これを繰り返すと、図２２Ｃに示すように履歴データが記録される。インデックス「２」に記載されたコンテンツＩＤが今閲覧しているコンテンツ、インデックス「１」に記載されたコンテンツＩＤが直前に閲覧していたコンテンツ、インデックス「０」に記載されたコンテンツＩＤが２つ前に閲覧していたコンテンツである。この場合には、「http://www.info.com/sub:content0011/content1937/content9133」という閲覧データが２次元バーコード化される。
【００９７】
さらに閲覧を進めると、新たなコンテンツＩＤを記録する場所がなくなる。そこで、履歴データに空きがない場合には、ＣＰＵ２１は、履歴データの繰り上げ処理を行う（ステップＳ５６）。つまり、インデックス「２」に記載のコンテンツＩＤをインデックス「１」に移動し、インデックス「１」に記載のコンテンツＩＤをインデックス「０」に移動する。これにより、インデックス「０」に記録されていたコンテンツＩＤは削除される。つまり、最も古い履歴が削除される。
【００９８】
ＣＰＵ２１は、このようにしてインデックス「２」の領域を空にしてから、新たな履歴データの登録を行う（ステップＳ５７）。
【００９９】
なお、上記では、検索画面からコンテンツが要求された場合についてのみ示しているが、コンテンツ中のリンクやコンテンツ一覧などからも他のコンテンツへの閲覧指示が出される。この場合にも、上記のようにして履歴データを記録する。
【０１００】
図２４、図２５に、ユーザからのコンテンツ閲覧要求（参照要求）と、履歴データとの関係を時系列にて示す。初期状態Ｘ１では、履歴テーブルは全てnullとなっている。
【０１０１】
状態Ｘ２において、content2136に対する閲覧要求があると、インデックス「０」にcontent2136が登録される。生成されて表示される２次元バーコードは、ＵＲＬおよびcontent2136をコード化したものである。
【０１０２】
状態Ｘ３において、content0880に対する閲覧要求があると、インデックス「１」にcontent0880が登録される。生成されて表示される２次元バーコードは、ＵＲＬおよびcontent2136/content0880をコード化したものである。
【０１０３】
状態Ｘ４において、content7295に対する閲覧要求があると、インデックス「２」にcontent7295が登録される。生成されて表示される２次元バーコードは、ＵＲＬおよびcontent2136/content0880/content7295をコード化したものである。
【０１０４】
状態Ｘ５において、content6930に対する閲覧要求があると、インデックス「０」に記録されているcontent2136が削除される。さらに、content0880およびcontent7295を上にシフトする。これによって、インデックス「２」がnullとなる。そこで、インデックス「２」にcontent6930が記録される。生成されて表示される２次元バーコードは、ＵＲＬおよびcontent0880/content7295/content6930をコード化したものである。
【０１０５】
このようにして、最新の３回のコンテンツ閲覧履歴が履歴データとして記録され、２次元バーコードとしてディスプレイ２６に表示される。
【０１０６】
表示されたコンテンツを見たユーザが、関連する情報を取得したい場合には、次のように処理が行われる。
【０１０７】
図２６に、携帯電話１２のメモリ３８に記録されている履歴データ取得プログラム５８のフローチャートを示す。
【０１０８】
ユーザは、携帯電話１２のカメラ３５を、電子百科事典２のディスプレイ２６に表示されている２次元バーコード１１にかざして撮像する。これにより、ＣＰＵ３１は、２次元バーコードの画像を取得する（ステップＳ１１）。次に、ＣＰＵ３１は、この２次元バーコードを解読しＵＲＬおよびコンテンツＩＤを取得する（ステップＳ１２）。解読アルゴリズムとしては、ISO/IEC18004などを用いることができる。
【０１０９】
ＣＰＵ３１は、ブラウザプログラム２９が既に立ち上がっているかどうかを判断する（ステップＳ１３）。立ち上がっていなければ、ブラウザプログラム２９を起動し（ステップＳ１４）、立ち上がったブラウザプログラム２９にＵＲＬおよびコンテンツＩＤを与える（ステップＳ１５）。また、既に立ち上がっていれば、そのブラウザプログラム２９にＵＲＬおよびコンテンツＩＤを与える（ステップＳ１５）。
【０１１０】
図２７に、携帯電話１２のブラウザプログラム２９とサーバ装置１６の処理プログラム４９のフローチャートを示す。まず、携帯電話１２のＣＰＵ２１は、履歴データ取得プログラム５８から受けたＵＲＬに基づき、インターネットを介して、サーバ装置１６にアクセスする。さらに、サーバ装置１６に対して、コンテンツＩＤを送信する（ステップＳ６１）。なお、ブラウザプログラム２９だけでコンテンツＩＤを送信できない場合、プラグインプログラムによって送信するようにすればよい。
【０１１１】
サーバ装置１６のＣＰＵ４１は、受信したコンテンツＩＤに対応するキーワードを、キーワード表６０（図２０参照）から取得する。たとえば、コンテンツＩＤが、content0011、content1931、content8155であれば、「ヒマワリ」「ピカソ」「絵画」の３つのキーワードが取得できる。キーワード表６０には、各コンテンツのキーワードが記録されているので、ユーザが最新に閲覧した３つのコンテンツのキーワードを得ることができる。
【０１１２】
次に、ＣＰＵ４１は、この３つのキーワードを用いて、関連コンテンツ４１（図１９参照）を検索する（ステップＳ６３）。つまり、関連コンテンツ４１の内容のうち、３つのキーワードを最も多く含むものを１つ選択して読み出す。
【０１１３】
ＣＰＵ４１は、読み出した関連コンテンツを、要求を行った携帯電話１２に送信する（ステップＳ６４）。携帯電話１２のＣＰＵ３１は、関連コンテンツを受信し、ディスプレイ３０に表示する（ステップＳ６４）。図１２に示すように、携帯電話１２のディスプレイ３０に関連コンテンツが表示される。
【０１１４】
上記のように、ユーザは、携帯電話１２によって２次元バーコードを撮像するだけで、閲覧履歴に合致した関連コンテンツを見ることができる。
【０１１５】
図２８を用いて、この実施形態によるコンテンツ表示システムの一利点を説明する。上段がユーザαによる、電子百科事典２での閲覧履歴である。「上杉謙信」、「織田信長」、「豊臣秀吉」という順に検索している。上段がユーザβによる、電子百科事典２での閲覧履歴である。「大阪」、「大阪城」、「豊臣秀吉」という順に検索している。
【０１１６】
現在閲覧しているコンテンツは、ユーザα、βともに、豊臣秀吉である。しかし、履歴が違うので、サーバ装置１６において用いられるキーワード９０ａ、９０ｂが異なる。したがって、サーバ装置１６において選択される関連コンテンツ１４ａ、１４ｂも異なっている。このように、ユーザの閲覧履歴に応じた関連コンテンツを携帯電話１２に表示させることができる。
【０１１７】
(5)その他の実施形態
上記実施形態では、キーワードを最も多く含む関連コンテンツを１つ選択して送信するようにしている。しかし、キーワードを多く含む順に２以上のコンテンツを送信するようにしてもよい。また、サーバ装置１６から携帯電話１２に対して、２以上のコンテンツへのリンク情報を送信し、携帯電話１２においてユーザによって選択されたコンテンツを表示するようにしてもよい。
【０１１８】
上記実施形態では、キーワードを最も多く含む関連コンテンツを選択して送信するようにしている。しかし、各関連コンテンツに複数のキーワードを付与して記録しておき、履歴データから得られたキーワードに最もよく一致するキーワードを有する関連コンテンツを選択するようにしてもよい。
【０１１９】
また、キーワードに基づく関連コンテンツの選択は、いわゆる検索エンジンが行っている検索手法を用いることができる。
【０１２０】
さらに、各キーワードにウエイトをつけて検索することもできる。たとえば、最新の履歴ほどウエイトが高く、古い履歴ほどウエイトを低くすることができる。
【０１２１】
また、上記では、３つのコンテンツＩＤを送信して３つのキーワードを用いているが、所定数のコンテンツＩＤ・所定数のキーワードを用いるようにしてもよい。
【０１２２】
上記では、１つのコンテンツに１つのキーワードとしているが、１つのコンテンツに２つ以上のキーワードを記録するようにしてもよい。
【０１２３】
上記実施形態では、コンテンツＩＤを履歴データとして記録し、２次元バーコード化している。しかし、図１６のコンテンツのそれぞれにキーワードを記録するようにし、履歴データとしてキーワードを記録して、２次元バーコード化してもよい。この場合、携帯電話１２は、２次元バーコードを解読して、所定数のキーワードを取得し、サーバ装置１６に送信する。サーバ装置１６は、このキーワードを用いて関連コンテンツを検索することができる。なお、この場合、図２０のキーワード表は、サーバ装置１６に不要となる。
【０１２４】
さらに、上記のようにキーワードを２次元バーコード化して表示する場合には、図２９に示すように、検索サイト１６（たとえばgoogle（商標））をサーバ装置として用いることができる。電子百科事典２のコンテンツにそれぞれには、キーワードが記録されている。(1)このキーワードに基づいて、ユーザの履歴データが２次元バーコード化して表示される。(2)携帯電話１２にて、この２次元バーコードが撮像される。この２次元バーコードには、検索サイト１６のＵＲＬも含まれている。(3)携帯電話１２は、ＵＲＬに基づいて検索サイト１６にアクセスし、キーワードを送信する。(5)検索サイト１６は、キーワードに基づいてインターネット上のサイトを検索する。(6)検索サイト１６は、検索結果をリンク情報として携帯電話１２に送信する。(7)携帯電話１２は、リンク情報を表示する。ユーザは、このリンク情報のいずれかをクリックして、所望の情報を閲覧することができる。このようにすれば、閲覧履歴に応じて、インターネット上の膨大な情報を関連コンコンテンツとして取得することができる。
【０１２５】
なお、電子百科事典２にキーワードが記録されていない場合には、図２９を実現することができない。このような場合には、図３０に示すように変換サーバ装置１６ａを設ければよい。(1)２次元バーコードは、コンテンツＩＤおよび変換サーバ装置１７ａのＵＲＬによって構成される。(2)携帯電話１２により、これを撮像する。(3)携帯電話１２がこれを解読して、変換サーバ装置１６ａにアクセスし、コンテンツＩＤを送信する。変換サーバ装置１６ａは、キーワード表を記録しており、コンテンツＩＤに対応するキーワードを取得する、(5)変換サーバ装置１６ａは、キーワードを、検索サイト１６ｂに送信する。(6)検索サイト１６ｂは、キーワードに基づいて検索を行う。(7)検索サイト１６ｂは、検索結果であるリンク情報を、携帯電話１２に送信する。なお、リンク情報は、変換サーバ装置１６ａを介して携帯電話１２に送信してもよく、また、リダイレクト処理により、携帯電話１２に直接送信するようにしてもよい。(8)携帯電話１２では、このリンクを表示する。ユーザは、このリンク情報のいずれかをクリックして、所望の情報を閲覧することができる。この実施形態では、変換サーバ装置１６ａと検索サイト１６ｂとによってサーバ装置１６が構成されている。
【０１２６】
なお、上記実施形態では、携帯電話１２が２次元バーコードを解読している。しかし、２次元バーコードを画像としてサーバ装置１６に送信し、サーバ装置１６の側で解読するようにしてもよい。
【０１２７】
上記実施形態では、２次元バーコードを用いているが、撮像して履歴データを識可能な画像であればどのようなものでもよい。たとえば、キーワードやコンテンツＩＤの文字列をそのまま、電子百科事典２に表示してもよい。携帯電話１２においてこれを撮像し、文字認識をすることによってキーワードやコンテンツＩＤを取得できるからである。
【０１２８】
上記実施形態では、電子百科事典２を例としたが、辞書、小説その他の書籍や文書を表示する装置に適用することができる。
【０１２９】
また、上記実施形態では、電子百科事典２はインターネットに接続されていないものとしている。このように電子百科事典２がスタンドアローンの場合に、本発明の効果が大きく発揮される。しかし、インターネットに接続された電子百科事典２においても、効果を得ることができる。つまり、電子百科事典２に表示されているコンテンツをそのままにして、関連コンテンツを携帯電話１２に表示できるという効果がある。
【０１３０】
上記各実施形態では、２次元バーコードにＵＲＬが記述されている。しかし、履歴データだけを２次元バーコード化するようにしてもよい。この場合、サーバ装置への接続のためのＵＲＬは、ユーザが入力するようにすればよい。あるいは、プラグインソフトなどにより、サーバ装置１６に自動的に接続されるようにしておいてもよい。
【０１３１】
上記各実施形態では、携帯電話１２を用いているが、撮像機能・通信機能を有するＰＤＡやパソコンなどでもよい。ただし、可搬性のあるものの方が好ましい。
【図面の簡単な説明】
【０１３２】
【図１】この発明の第１実施形態によるコンテンツ表示システムの概要を示す図である。
【図２】第１実施形態によるコンテンツ表示システムのブロック図である。
【図３】電子百科事典２のハードウエア構成を示す図である。
【図４】メモリ２２に記録されたコンテンツの例である。
【図５】携帯電話１２のハードウエア構成を示す図である。
【図６】サーバ装置１６のハードウエア構成を示す図である。
【図７】ハードディスク４０に記録された関連コンテンツ１４の例である。
【図８】コンテンツ処理プログラム２３のフローチャートである。
【図９】電子百科事典２の外観と画面を示す図である。
【図１０】リンク情報取得プログラム３９のフローチャートである。
【図１１】ブラウザプログラム２９と処理プログラム４９のフローチャートである。
【図１２】携帯電話１２における、関連コンテンツの表示例を示す図である。
【図１３】この発明の第２実施形態によるコンテンツ表示システムの概要を示す図である。
【図１４】第２実施形態によるコンテンツ表示システムのブロック図である。
【図１５】電子百科事典２のハードウエア構成を示す図である。
【図１６】メモリ２２に記録されたコンテンツの例である。
【図１７】携帯電話１２のハードウエア構成を示す図である。
【図１８】サーバ装置１６のハードウエア構成を示す図である。
【図１９】ハードディスク４０に記録された関連コンテンツ１４の例である。
【図２０】ハードディスク４０に記録されたキーワード表の例である。
【図２１】コンテンツ処理プログラム２３のフローチャートである。
【図２２】履歴データの変化を示す図である。
【図２３】電子百科事典２の外観と画面を示す図である。
【図２４】履歴データの変化を示す図である。
【図２５】履歴データの変化を示す図である。
【図２６】履歴データ取得プログラム５８のフローチャートである。
【図２７】ブラウザプログラム２９と処理プログラム４９のフローチャートである。
【図２８】履歴データによる関連コンテンツ表示の利点を示す図である。
【図２９】他の実施形態による全体構成図および処理を示す図である。
【図３０】他の実施形態による全体構成図および処理を示す図である。
【図１】
2006119825.tif 000003
【図２】
2006119825.tif 000004
【図３】
2006119825.tif 000005
【図４】
2006119825.tif 000006
【図５】
2006119825.tif 000007
【図６】
2006119825.tif 000008
【図７】
2006119825.tif 000009
【図８】
2006119825.tif 000010
【図９】
2006119825.tif 000011
【図１０】
2006119825.tif 000012
【図１１】
2006119825.tif 000013
【図１２】
2006119825.tif 000014
【図１３】
2006119825.tif 000015
【図１４】
2006119825.tif 000016
【図１５】
2006119825.tif 000017
【図１６】
2006119825.tif 000018
【図１７】
2006119825.tif 000019
【図１８】
2006119825.tif 000020
【図１９】
2006119825.tif 000021
【図２０】
2006119825.tif 000022
【図２１】
2006119825.tif 000023
【図２２】
2006119825.tif 000024
【図２３】
2006119825.tif 000025
【図２４】
2006119825.tif 000026
【図２５】
2006119825.tif 000027
【図２６】
2006119825.tif 000028
【図２７】
2006119825.tif 000029
【図２８】
2006119825.tif 000030
【図２９】
2006119825.tif 000031
【図３０】
2006119825.tif 000032